(57)【要約】【課題】充電アダプタ等の機器本体に接続されているケーブルを流用することができないように封印することができ、また、ケーブルを抜こうとした場合でもこれを接続している機器本体との接続状態が阻害されないようにすることが可能なケーブル封印具を提供する。【解決手段】機器本体１０の表面１０ａに貼着させる機器側貼着部２と、ケーブルコネクタ１３の周面に巻き付けるコネクタ側貼着部３と、機器側貼着部２とコネクタ側貼着部３とを連接する中継部４と、を備え、中継部４を、ケーブルコネクタ１３の幅と略等しい幅とし、機器本体１０の表面１０ａからケーブル接続ポート１１にかけて機器本体１０の側面１０ｂに貼着させる。【選択図】  図２
2020118794.tif 000002
【特許請求の範囲】
【請求項１】
ケーブル接続ポートを備えた機器本体にケーブルコネクタを挿着した状態を保持させるケーブル封印具であって、
前記機器本体の表面に貼着させる機器側貼着部と、前記ケーブルコネクタの周面に巻き付けるコネクタ側貼着部と、前記機器側貼着部と前記コネクタ側貼着部とを連接する中継部と、を備え、
前記中継部を、前記ケーブルコネクタの幅と略等しい幅にすると共に、前記機器本体の表面から前記ケーブル接続ポートにかけて前記機器本体の側面に貼着させるようにしたことを特徴とするケーブル封印具。
【請求項２】
前記コネクタ側貼着部は、ケーブルコネクタの周長に等しく形成され、一方の端部に凸片を設け、他方の端部に前記凸片と係合する切込みを設けたことを特徴とする請求項１に記載のケーブル封印具。
【請求項３】
前記コネクタ側貼着部の表面には、尖突起が多数設けられていることを特徴とする請求項１又は２に記載のケーブル封印具。
【請求項４】
前記機器側貼着部には、前記機器本体に係止可能なフック部が一体に形成されていることを特徴とする請求項１乃至３のいずれかに記載のケーブル封印具。
【発明の詳細な説明】
【技術分野】
【０００１】
本発明は、充電やデータ伝送用として利用可能な汎用性ケーブルにおいて、特定の機器に接続されているケーブルを他に流用されないように封印するケーブル封印具に関する。
【背景技術】
【０００２】
例えば、デジタルカメラで撮影した画像をパソコンに取り込む場合には、セキュリティーの観点から、デジタルカメラをＵＳＢケーブルでパソコンに直接接続せず、デジタルカメラに装着しているＳＤカード等のメディアを取り外し、このメディアをパソコンに接続されたカードリーダに装着し、このカードリータを介してメディア内の画像データをパソコンに取り込むルールを採用している。
【０００３】
しかし、ＵＳＢケーブルは、充電用としてもデータ伝送用としても利用可能な汎用性のあるケーブルであるため、前記ルールを無視して、充電アダプタ等の機器本体に接続されているＵＳＢケーブルを抜いて、このＵＳＢケーブルでパソコンとデジタルカメラとを直接接続し、デジタルカメラから画像をパソコンに直接取り込む操作が行われる余地がある。このため、充電アダプタ等の機器本体に接続されているＵＳＢケーブルを流用できないように、その機器からＵＳＢケーブルが抜けないように封印することが要請されている。
【０００４】
このような封印を施すために、下記する特許文献１で示されるような封印シールを用いることも考えられる。これは、筆記具の本体軸とこの本体軸に被覆されるキャップとに跨って貼付されるキャップ封印シールであり、キャップの外周面に貼付されるキャップ貼付部と、本端軸の外周面に貼付される本体軸貼付部と、キャップ添付部と本体軸貼付部とを連接する中継部とを備え、中継部をキャップ貼付部や本体軸よりも幅狭に形成し、また、中継部には接着層を設けず、キャップ貼付部との境界部位にミシン目を設け、筆記具の使用時に簡単に剥がすことができるようにしたものである。
【先行技術文献】
【特許文献】
【０００５】
【特許文献１】実開２００１−３３７６０４号公報
【発明の概要】
【発明が解決しようとする課題】
【０００６】
しかしながら、このような構成の封印具は、ケーブルの流用を避けるために、ケーブルを機器本体から抜けないようにするケーブル封印具としては適さないものである。ケーブルの端部に設けられるケーブルコネクタは、電源アダプタ等の機器本体に設けられるケーブル接続ポートに抜き差しするものであり、ケーブルを抜こうとしてケーブルコネクタを無理矢理引っ張ると、中継部は破断しやすい構造となっているので、ケーブルが機器本体から外れるか接続不良を引き起こす不都合が懸念される。
このため、ケーブルを引っ張っても、抜けないようにすると共にケーブルコネクタと機器本体とが接続不良を起こさないようにする必要がある。
【０００７】
本発明は、係る事情に鑑みてなされたものであり、充電アダプタ等の他の機器本体に接続されているケーブルを流用することができないように封印でき、また、ケーブルを抜こうとした場合でもこれを接続している機器本体との接続状態が阻害されないようにすることが可能なケーブル封印具を提供することを主たる課題としている。
【課題を解決するための手段】
【０００８】
上記課題を達成するために、本発明に係るケーブル封印具は、ケーブル接続ポートを備えた機器本体にケーブルコネクタを挿着した状態を保持させるケーブル封印具であって、前記機器本体の表面に貼着させる機器側貼着部と、前記ケーブルコネクタの周面に巻き付けるコネクタ側貼着部と、前記機器側貼着部と前記コネクタ側貼着部とを連接する中継部と、を備え、前記中継部を、前記ケーブルコネクタの幅と略等しい幅にすると共に、前記機器本体の表面から前記ケーブル接続ポートにかけて前記機器本体の側面に貼着させるようにしたことを特徴としている。
【０００９】
したがって、本発明のケーブル封印具は、機器側貼着部を機器本体の表面に貼着し、コネクタ側貼着部をケーブルコネクタの周面に巻き付け、さらに中継部を機器本体の表面からケーブル接続ポートにかけて機器本体の側面に貼着すれば、機器本体とケーブルコネクタとの接続状態がケーブル封印具でしっかり固定された状態となる。また、中継部はケーブルコネクタの幅と略等しい幅で機器本体の側面に貼着されるので、ケーブルコネクタを引き抜こうとしても中継部が破断したり機器本体から外れたりする不都合を低減させることが可能となり、ケーブルコネクタと機器本体との接続状態が緩む不都合をも回避することが可能となる。
【００１０】
ここで、封印状態を強固に保持するために、機器側貼着部、コネクタ側貼着部、及び中継部は、プラスチック、金属等で構成された屈曲可能な硬質材料からなる芯材の裏面に貼着層を施して構成されることが望ましい。また、芯材の表面には、メッセージ等を印刷したシール紙を貼着するか、メッセージ等を直接印字するようにしてもよい。
さらに、ケーブルを機器本体から引き抜こうとする場合にケーブルコネクタを手で持つ場合が多いことから、コネクタ側貼着部を、ケーブルコネクタの周長に等しく形成し、一方の端部に凸片を設け、他方の端部に前記凸片と係合する切込みを設け、コネクタ側貼着部をケーブルコネクタに巻き付けた状態において、切込みに凸片を係合させて取り付け状態を強固にすると共に、コネクタ側貼着部を意図的に剥がすことができないようにしてもよい。
【００１１】
また、ケーブルコネクタを手で持って引き抜くことをしにくくするために、コネクタ側貼着部の表面に尖突起を多数設けるようにしてもよい。
さらに、機器側貼着部においても、機器本体への貼着した状態を剥がしにくくするために、機器側貼着部に、機器本体に係止可能なフック部を一体に形成するようにしてもよい。
【発明の効果】
【００１２】
以上述べたように、本発明によれば、ケーブル封印具を、機器本体の表面に貼着させる機器側貼着部と、ケーブルコネクタの周面に巻き付けるコネクタ側貼着部と、機器側貼着部とコネクタ側貼着部とを連接する中継部と、を備え、中継部を、ケーブルコネクタの幅と略等しい幅にすると共に、機器本体の表面からケーブル接続ポートにかけて機器本体の側面に貼着させるようにしたので、機器本体とケーブルコネクタとの接続状態がケーブル封印具でしっかり固定されると共に、ケーブルコネクタを引き抜こうとしても機器本体から外れることがなくなり、また、ケーブルコネクタと機器本体との接続状態が緩むことがなくなる。
【図面の簡単な説明】
【００１３】
【図１】図１は、本発明に係るケーブル封印具の構成例を示す図であり、（ａ）は、その平面図、（ｂ）は、その斜視図、（ｃ）はその断面構成を示す図である。
【図２】図２は、図１で示すケーブル封印具を機器本体とこれに装着されているケーブルコネクタとに取り付ける状態を示す図であり、（ａ）はケーブル封印具を取り付ける前の状態を示す斜視図、（ｂ）はケーブル封印具を取り付けた状態を示す斜視図である。
【図３】図３は、本発明に係るケーブル封印具の他の構成例を示す図であり、（ａ）はその平面図、（ｂ）は、（ａ）で示すケーブル封印具を機器本体とこれに装着されているケーブルコネクタとに取り付けた状態を示す図である。
【図４】図４は、本発明に係るケーブル封印具の他の構成例を示す図であり、（ａ）はその平面図、（ｂ）は、（ａ）で示すケーブル封印具を機器本体とこれに装着されているケーブルコネクタとに取り付けた状態を示す図である。
【図５】図５は、ケーブル封印具の変形例を示す図であり、（ａ）は、その平面図、（ｂ）は、その斜視図である。
【図６】図６は、ケーブル封印具の変形例を示す図であり、（ａ）は、その平面図、（ｂ）は、その斜視図である。
【図７】図７は、ケーブル封印具のさらに他の構成例を示し、機器側貼着部にさらに機器本体に係止可能なフック部を設けた図であり、（ａ）はフック部を機器本体に係止させる前の状態を示す図、（ｂ）はフック部を機器本体に係止させた状態を示す図である。
【発明を実施するための形態】
【００１４】
以下、本発明に係るケーブル封印具の実施形態を図面に基づき詳述する。
【００１５】
図１及び図２において、ケーブル封印具１は、薄いシート状部材で構成されているもので、電源アダプタ等の機器本体１０の表面１０ａに貼着させる機器側貼着部２と、機器本体１０の側面１０ｂに設けられたケーブル接続ポート１１に挿入接続されるケーブル１２のケーブルコネクタ１３の周面に巻き付けるコネクタ側貼着部３と、機器側貼着部２とコネクタ側貼着部３とを連接する中継部４と、を備えている。
【００１６】
これら機器側貼着部２、コネクタ側貼着部３、中継部４は、屈曲可能な薄板状のプラスチックや金属板を芯材１ａとしているもので、図１（ｃ）に示されるように、芯材１ａの表面には文字等が印刷されたシール紙１ｂが貼着されるか芯材１ａに文字等が直接記載され、芯材１ａの裏面には粘着剤が塗布されるか両面テープが貼着されて構成される貼着層１ｃが設けられている。
【００１７】
機器側貼着部２は、この例では矩形状に形成され、機器本体１０の表面１０ａの前記ケーブル接続ポート１１が設けられた側面１０ｂと接続する側縁に一辺を合わせてこの側縁に沿って貼着される。
【００１８】
コネクタ側貼着部３は、中間部分が後述する中継部４に連接され、この中間部分から機器側貼着部２と平行に両側へ延びるように延設され、ケーブルコネクタ１３の周面に全周に亘って貼着できるようにケーブルコネクタ１３の周長に等しいかこれよりも長く形成されている。また、ケーブルコネクタ１３を機器本体１０のケーブル接続ポート１１に挿着した状態において、コネクタ側貼着部３は、ケーブルコネクタ１３の機器本体１０から突出する境界部位に中継部４と接続する側縁を一致させてケーブルコネクタ１３の全周に貼着されている。
【００１９】
中継部４は、機器側貼着部２とコネクタ側貼着部３との間の距離が、機器本体１０の機器側貼着部２が貼着される上面とケーブル接続ポート１１との間の距離に合せた長さに形成され、また、ケーブルコネクタ１３（ケーブル接続ポート１１）の幅とほぼ等しい幅に形成されている。
【００２０】
この例において、ケーブル接続ポート１１は機器本体１０の側面１０ｂを正面から見た場合に、右端寄りの部位に形成され、したがって、ケーブル封印具１は、正面から見た場合に、中継部４の右端の辺を機器側貼着部２の右端の辺に一致させた状態で一体に形成されている。
【００２１】
また、機器側貼着部２の芯材１ａの表面、又は、芯材１ａの表面に貼着されたシール紙１ｂの表面には、このケーブル１２を用いて直接画像をパソコンへ取り込むことを禁止している旨が表示され（例えば、「ＰＣへの画像取込は、ケーブル直接取込禁止、カードリーダを使う事」と表示され）、また、コネクタ側貼着部３の中央部には、機器本体（充電器）を識別する番号が表示されている（例えば、「カメラ充電器Ｎｏ．１」と記載されている）。
【００２２】
以上の構成において、ケーブルコネクタ１３が接続された機器本体１０に、上述した封印具１を用いてケーブル１２が機器本体１０から抜けないように封印するには、図２（ａ）に示されるように、ケーブル封印具１を、貼着層１ｃの側を機器本体１０とケーブルコネクタ１３とに対峙させて近づけ、図２（ｂ）に示されるように、機器側貼着部２を機器本体１０の表面にケーブル接続ポート１１が設けられた側面１０ｂと接続する側縁に合せると共に中継部４をケーブル接続ポート１１の位置と整合させるように貼着させる。その後、中継部４を直角に曲げてケーブル接続ポート１１が形成されている側面１０ｂに貼着させ、しかる後に、コネクタ側貼着部３を直角に曲げて、その中間部をケーブルコネクタ１３の上面に貼着させると共に、両端部をケーブルコネクタ１３に巻き付けるように貼着させる。
【００２３】
したがって、上述のケーブル封印具１によれば、機器側貼着部２からコネクタ側貼着部３にかけて、ケーブル封印具１が密着されるので、強固な封印状態が形成され、また、機器側貼着部２とコネクタ側貼着部３との間に封印具１の遊びがないため（中継部４が機器本体１０の側面に貼着され、封印具１に貼着されていない余長がないため）、ケーブルコネクタ１３を引き抜こうとしても、ケーブルコネクタ１３が機器本体１０から外れることがなく、また、ケーブルコネクタ１３と機器本体１０との接続状態がずれる（緩む）ことがなくなる。
【００２４】
なお、以上の構成においては、機器本体１０の右寄りにケーブル接続ポート１１が形成されている場合の例について述べたが、ケーブル接続ポート１１の位置が側面１０ｂの他の部位に設けられる場合でも、同様のケーブル封印具１を用いるようにしてもよい。
特に、ケーブル封印具１の貼着した状態の見栄えを良くするために、又は、ケーブル封印具１の表面に表示されているメッセージを見やすくするために、ケーブル接続ポート１１が機器本体１０の側面１０ｂの左側寄りに設けられている場合には、図３に示されるように、ケーブル封印具１の中継部４の左端の辺を機器側貼着部２の左端の辺に一致させた状態で形成するようにし、また、ケーブル接続ポート１１が機器本体１０の側面１０ｂの中央に設けられている場合には、図４に示されるように、ケーブル封印具１の中継部４を機器側貼着部２の中間部とコネクタ側貼着部３の中間部とを連接した状態で形成するようにしてもよい。
【００２５】
図５に、図１で示したケーブル封印具１の変形例が示されている。この変形例では、コネクタ側貼着部３がケーブルコネクタ１３の周長に等しく形成され、長手方向の一方の端部に徐々に幅広となる凸片５を一体に突出形成し、他方の端部に前記凸片５と係合する切込み６（他方の端部に端辺から徐々に幅広となる切込み）を設け、コネクタ側貼着部３をケーブルコネクタ１３に巻き付けた状態において、ケーブルコネクタ１３の裏側で凸片５と切込み６とを係合させてコネクタ側貼着部３の取付状態をより強固な状態としてもよい。
【００２６】
また、図６に示されるように、コネクタ側貼着部３の表面に、尖突起７を多数設け、このコネクタ側貼着部３をケーブルコネクタ１３に巻き付けることで、ケーブル１２を引き抜こうとしてケーブルコネクタ１３を手で持った場合に刺激を与えるようにしてもよい。このような構成とすることで、ケーブル１２の引き抜きを諦めさせるようにすることが可能となる。
【００２７】
さらに図７に示されるように、ケーブル封印具１の機器側貼着部２に、機器本体１０のケーブル接続ポート１１が設けられている側と反対側の端部に係止可能な回動可能なフック部８を一体に形成してもよい。この例において、フック部８は、機器側貼着部２の中継部４が設けられる辺と反対側の辺に屈曲可能なＬ字状の板材を設け、その先端部に機器本体１０に係留させる突条９を設けるようにしている。なお、フック部８の機器本体１０と対峙する面は、貼着剤を設けなくてもよいが、貼着剤を設けてフック部８を機器本体１０に当接させた状態において、フック部８を機器本体１０に接着させるようにしてもよい。
このようなフック部８を設けることで、機器側貼着部２の機器本体１０への貼着状態を補強することができ、また、ケーブル封印具１が機器本体１０から不用意にはずれることを避けることが可能となる。
【符号の説明】
【００２８】
１  ケーブル封印
１ａ  芯材
２  機器側貼着部
３  コネクタ側貼着部
４  中継部
５  凸片
６  切込み
７  尖突起
８  フック部
１０  機器本体
１１  ケーブル接続ポート
１３  ケーブルコネクタ
【図１】
2020118794.tif 000003
【図２】
2020118794.tif 000004
【図３】
2020118794.tif 000005
【図４】
2020118794.tif 000006
【図５】
2020118794.tif 000007
【図６】
2020118794.tif 000008
【図７】
2020118794.tif 000009